(57)【要約】【課題】作業面の有効利用を図りつつ、使い勝手を向上した棚装置及び天板付き什器を提供する。【解決手段】天板２と、天板２を下面から支持する天板支持脚３とを有する天板付き什器１の上面に設けられた棚装置４であって、天板２の上面に天板２と上下方向に離間して設けられる平板状の棚板１２と、物品を載置する物品載置面６１と棚板１２の下面とが対向した状態で棚板１２の下面に取り付けられ、物品載置面６１と棚板１２の下面との間で物品載置空間ＳＰを形成する吊下棚１６と、棚板１２の下面における吊下棚１６の取付位置を変更可能に係止する係止機構（係止溝部２４、側壁係止部６４ａ，６４ｂ、後壁係止部６７）とを備える。【選択図】図１
2019076311.tif 000002
【特許請求の範囲】
【請求項１】
天板と、該天板を下面から支持する天板支持脚とを有する天板付き什器の上面に設けられた棚装置であって、
前記天板の上面に当該天板と上下方向に離間して設けられる平板状の棚板と、
物品を載置する物品載置面と前記棚板の下面とが対向した状態で当該棚板の下面に取り付けられ、当該物品載置面と当該棚板の下面との間で物品載置空間を形成する吊下棚と、
前記棚板の下面における前記吊下棚の取付位置を変更可能に係止する係止機構と
を備えることを特徴とする棚装置。
【請求項２】
前記吊下棚は、前記棚板の短手方向に向かって突出する端縁が、前記棚板の長手方向に沿う端縁よりも突出した状態で当該棚板の下面に取り付けられている
ことを特徴とする請求項１記載の棚装置。
【請求項３】
前記係止機構は、
前記棚板の下面に設けられて前記棚板の長手方向に沿って延びる係止溝部と、
前記吊下棚の前記物品載置面から立設して前記物品載置空間を形成する壁部に設けられて前記係止溝部と係止する係止部とを有し、
前記係止部は、前記係止溝部の内側に挿入されて前記吊下棚の取付位置を前記長手方向へ変更可能に係止する
ことを特徴とする請求項１又は２記載の棚装置。
【請求項４】
前記係止溝部は、前記棚板の短手方向に離間して設けられた一対の断面コ字形状の係止片を有し、
前記係止部は、前記棚板の短手方向の端縁側に設けられて一方の前記係止片と係止する端縁側係止突起と、前記棚板の短手方向の基端側に設けられて他方の前記係止片と係止する基端側係止突起とを有する
ことを特徴とする請求項３記載の棚装置。
【請求項５】
前記棚板を前記天板と離間して支持する棚支持脚を備え、
前記棚支持脚の上部には、前記棚板を支持する棚板支持部が設けられており、
前記棚板支持部は、前記係止溝部の内側に挿入されて前記棚板を支持する
ことを特徴とする請求項３又は４記載の棚装置。
【請求項６】
請求項１乃至５のいずれか１項記載の棚装置を備えていることを特徴とする天板付き什器。
【発明の詳細な説明】
【技術分野】
【０００１】
本発明は、オフィス、病院、公共施設等の執務空間に設置され、各種作業を行うことができる天板の上面に設けられた棚装置及び天板付き什器に関する。
【背景技術】
【０００２】
従来、オフィス、病院、公共施設等の執務空間には、各種作業等を行うことのできる天板を備えたデスク、テーブル、カウンター等の天板付き什器が設置されている。このような什器の天板の上面には、書類等の物品を収容するための棚が用いられている。
【０００３】
このような棚には、左右に離間させて設けられた１対の側板と、側板の上方に設けられた天板と、側板の間に設けられた棚板とを備える卓上整理棚が知られている。この卓上整理棚では、天板や棚板の高さ方向の位置を変更することにより、書類や物品を載置する物品載置空間の大きさを変更可能にしている（例えば、特許文献１参照）。
【先行技術文献】
【特許文献】
【０００４】
【特許文献１】特許第４２８９８６６号公報
【発明の概要】
【発明が解決しようとする課題】
【０００５】
しかしながら、上述した棚は、各種作業を行う作業面である天板に載置されるため、作業面の面積が狭くなり有効利用し難いという問題があった。このため、作業面を有効利用し得る棚の構造が求められていた。
【０００６】
本発明は、上記の課題に鑑みてなされたものであり、その目的は、作業面の有効利用を図りつつ、使い勝手を向上した棚装置及び天板付き什器を提供することである。
【課題を解決するための手段】
【０００７】
上記目的を達成するために、本発明の棚装置は、天板と、該天板を下面から支持する天板支持脚とを有する天板付き什器の上面に設けられた棚装置であって、前記天板の上面に当該天板と上下方向に離間して設けられる平板状の棚板と、物品を載置する物品載置面と前記棚板の下面とが対向した状態で当該棚板の下面に取り付けられ、当該物品載置面と当該棚板の下面との間で物品載置空間を形成する吊下棚と、前記棚板の下面における前記吊下棚の取付位置を変更可能に係止する係止機構とを備えることを特徴とする。
【０００８】
本発明に係る棚装置は、前記吊下棚は、前記棚板の短手方向に向かって突出する端縁が、前記棚板の長手方向に沿う端縁よりも突出した状態で当該棚板の下面に取り付けられていることを特徴とする。
【０００９】
本発明に係る棚装置は、前記係止機構は、前記棚板の下面に設けられて前記棚板の長手方向に沿って延びる係止溝部と、前記吊下棚の前記物品載置面から立設して前記物品載置空間を形成する壁部に設けられて前記係止溝部と係止する係止部とを有し、前記係止部は、前記係止溝部の内側に挿入されて前記吊下棚の取付位置を前記長手方向へ変更可能に係止することを特徴とする。
【００１０】
本発明に係る棚装置は、前記係止溝部は、前記棚板の短手方向に離間して設けられた一対の断面コ字形状の係止片を有し、前記係止部は、前記棚板の短手方向の端縁側に設けられて一方の前記係止片と係止する端縁側係止突起と、前記棚板の短手方向の基端側に設けられて他方の前記係止片と係止する基端側係止突起とを有することを特徴とする。
【００１１】
本発明に係る棚装置は、前記棚板を前記天板と離間して支持する棚支持脚を備え、前記棚支持脚の上部には、前記棚板を支持する棚板支持部が設けられており、前記棚板支持部は、前記係止溝部の内側に挿入されて前記棚板を支持することを特徴とする。
【００１２】
本発明の天板付き什器は、上述の棚装置を備えていることを特徴とする。
【発明の効果】
【００１３】
本発明によれば、作業面の有効利用を図りつつ、使い勝手を向上することができる。
【図面の簡単な説明】
【００１４】
【図１】本発明の実施の形態に係る棚装置及び天板付き什器の全体構成を示す斜視図である。
【図２】図１に示す棚装置の上面図である。
【図３】図１に示す棚装置の側面図である。
【図４】図１に示す棚支持脚の図であり、図４（ａ）は、図１に示す棚支持脚の分解斜視図であり、図４（ｂ）は、図１に示す棚支持脚の側面図である。
【図５】図１に示す吊下棚の図であり、図５（ａ）は、図１に示す吊下棚の斜視図であり、図５（ｂ）は、図１に示す吊下棚の側面図である。
【図６】図１に示す吊下棚を棚板に係止した係止状態を説明するための側面図である。
【図７】図１に示す吊下棚を棚板に係止する係止方法及び取り外し方法を説明するための側面図である。
【発明を実施するための形態】
【００１５】
以下、本発明の実施の形態について、図面を参照しながら具体的に説明する。
【００１６】
［１．天板付き什器の全体構成］
はじめに、図１を参照して、本発明の実施の形態に係る天板付き什器の全体構成について説明する。図１は、本発明の実施の形態に係る天板付き什器の全体構成を示す斜視図である。
【００１７】
図１に示すように、天板付き什器１は、使用者が各種作業を行う作業面である天板２と、天板２を下面から支持する一対の天板支持脚３とを備える執務空間に設置される例えば机であり、天板２の上面には棚装置４が設けられている。
【００１８】
天板２は、鉄、木材、樹脂等で形成された矩形形状の板状体であり、天板２と正対した使用者（以下、単に「使用者」ともいう。）側の反対側には、天板２の上面に載置されたパソコンやディスプレイ等の接続配線ケーブルを内部に挿通して収容することが可能な配線収容部５が設けられている。
【００１９】
一対の天板支持脚３は、床面側に配置される下部支持体６と、下部支持体６の上方に配置されて天板２の下面を支持する上部支持体７とにより側面視略Ｌ字形状をなしている。下部支持体６の下方には、床面と接地して天板２と床面との高さを調整可能なアジャスタ８が取り付けられている。
【００２０】
棚装置４は、天板２の上面に天板２と上下方向に離間して設けられた棚板１２と、棚板１２を天板２と上下方向に離間して支持する一対の棚支持脚１４と、棚板１２の下面に取り付けられる吊下棚１６とを備えている。
【００２１】
［２．棚装置の構成］
次に、図１から図６を参照して、上述した棚装置４の構成について説明する。
【００２２】
［２−１．棚板の構成］
まず、図１及び図２を参照して、上述した棚装置４の棚板１２の構成について説明する。図２は、図１に示す棚装置４を上方から見た上面図である。
【００２３】
棚板１２は、鉄、木材、樹脂等で形成されており、図１及び図２に示すように、平板状の棚板本体２１と、棚板本体２１の長手方向Ｘに沿う一方の端部が下方に傾斜した棚板傾斜部２２と、他方の端部が概略垂直に立設した棚板折曲部２３と、棚板本体２１の下面に形成された係止溝部２４とを有している。
【００２４】
なお、説明の便宜上、天板２と正対する使用者の左右方向、すなわち棚板１２の長手方向（長さ方向）を「Ｘ」、使用者の前後方向、すなわち棚板１２の短手方向（幅方向）を「Ｙ」とする。
【００２５】
棚板傾斜部２２及び棚板折曲部２３は、棚板本体２１と一体に形成されている。棚板傾斜部２２は、棚板本体２１の平坦な面から下方へ僅かな角度だけ傾斜した端縁部分である。棚板折曲部２３は、棚板本体２１に載置された本やファイル等の物品を前方から後方に載置した際に、後方へ落下することがないように概略垂直に立設している。
【００２６】
係止溝部２４は、棚板１２の下面側に棚板本体２１の長手方向Ｘに沿って設けられており、溝底部２４１と、溝底部２４１の端部からそれぞれ下方に折り曲げられて溝底部２４１と一体的に形成され、棚板本体２１の短手方向Ｙへ離間するように設けられた一対の断面コ字形状の係止片２４２ａ，２４２ｂとを有している。この係止片２４２ａ，２４２ｂは、互いに対向する位置に切れ目部分ＢＫが形成されている。
【００２７】
［２−２．棚支持脚の構成］
次に、図３及び図４を参照して、上述した棚装置４の一対の棚支持脚１４の構成について説明する。図３は、図１に示す棚装置４を使用者の左側から見た側面図である。図４は、図１に示す棚支持脚１４の図であり、図４（ａ）は、図１に示す棚支持脚１４の分解斜視図であり、図４（ｂ）は、図１に示す棚支持脚１４の側面図である。
【００２８】
図３及び図４に示すように、一対の棚支持脚１４は、天板２と棚板１２との間に位置する柱状形状の支持脚本体４１の下部に設けられたクランプ装置４２と、支持脚本体４１の上部に一体に設けられて棚板１２を支持する棚板支持部４３とを有している。
【００２９】
クランプ装置４２は、側面視略コ字形状をなすクランプ部４２１と、クランプ部４２１とにより天板２の端縁を嵌合する締付ネジ部４２２とを有している。
【００３０】
クランプ部４２１は、上片４２１ａ及び下片４２１ｂが連結片４２１ｃにより連結されている。下片４２１ｂには、締付ネジ部４２２が挿入されるクランプネジ孔４２１ｄが形成されている。
【００３１】
締付ネジ部４２２は、クランプネジ孔４２１ｄに螺合されるネジ部４２２ａと、ネジ部４２２ａの上端に一体的に設けられた回動摘み４２２ｂとを有している。
【００３２】
図４（ａ）及び図４（ｂ）に示すように、棚板支持部４３は、係止溝部２４の内側に挿入されて棚板１２を支持する固定片４３１及びスライド片４３２を有している。
【００３３】
固定片４３１は、支持脚本体４１の上端に一体的に設けられた固定底面４３１ａと、固定底面４３１ａのＸ方向（図１参照）における両端縁から立設した一対の固定側面４３１ｂと、一対の固定側面４３１ｂにおける一端側（前方）に形成されて係止片２４２ａが係止される固定側係止欠部４３１ｃと、スライド片４３２が固定される他端側（後方）に形成されて、後述するネジ４３４ａが挿入される固定片ネジ孔４３１ｄを有している。この固定片ネジ孔４３１ｄに対応した位置にはナット４３４ｂが溶接されている。
【００３４】
スライド片４３２は、固定片４３１と同様の形状を有するが、当該固定片４３１の長手方向を向く長さ（スライド片４３２における図１のＹ方向の長さ）が固定片４３１よりも短く、固定片４３１の短手方向を向く長さ（スライド片４３２における図１のＸ方向の長さ）が固定片４３１よりも長い形状を有している。このスライド片４３２は、固定底面４３１ａの下面と相対移動可能にスライドするスライド底面４３２ａと、一対の固定側面４３１ｂの外側に位置する一対のスライド側面４３２ｂと、一対のスライド側面４３２ｂの他端側（後方）がスライド底面４３２ａよりも突出した状態で形成され、係止片２４２ｂが係止されるスライド側係止欠部４３２ｃと、スライド底面４３２ａのほぼ中央に形成されたスライド長孔４３２ｄとを有している。
【００３５】
クランプ装置４２による天板２の挟着は、クランプ部４２１の上片４２１ａ及び下片４２１ｂの間から締付ネジ部４２２のネジ部４２２ａをクランプネジ孔４２１ｄに挿入し、上片４２１ａと回動摘み４２２ｂの上部との間に天板２の端縁を配設し、回動摘み４２２ｂを回転して上片４２１ａと回動摘み４２２ｂの上面との間隔を調整することにより、上片４２１ａと下片４２１ｂの間に天板２を挟み着ける。
【００３６】
そして、回動摘み４２２ｂを右回転させると、締付ネジ部４２２が上昇して回動摘み４２２ｂの上面と上片４２１ａとの間で天板２を挟着する。なお、回動摘み４２２ｂを左回転させることにより、締付ネジ部４２２が下降して挟着が緩められる。
【００３７】
また、固定片４３１とスライド片４３２との固定は、スライド長孔４３２ｄから挿入して固定片ネジ孔４３１ｄを貫通したネジ４３４ａをナット４３４ｂで締結することにより固定される。具体的には、固定底面４３１ａの下面にスライド底面４３２ａを重ねるとともに、一対の固定側面４３１ｂの外側に一対のスライド側面４３２ｂを位置させる。そして、スライド片４３２の下部からスライド長孔４３２ｄへネジ４３４ａを挿入し、固定片ネジ孔４３１ｄに対応した位置に溶接されたナット４３４ｂにネジ４３４ａを締結することにより固定片４３１とスライド片４３２を固定する。このようにして、一体化された固定片４３１及びスライド片４３２からなる棚板支持部４３は、係止溝部２４に挿入されて棚板１２を支持する。
【００３８】
上述したように、スライド底面４３２ａにはスライド長孔４３２ｄが形成されているため、スライド片４３２を固定片４３１に対して矢印Ａ方向にスライドさせることにより、棚板支持部４３のＹ方向（図１参照）における長さ寸法Ｂを変更することができる。すなわち、スライド長孔４３２ｄのＹ方向（図１参照）における長さ寸法Ｃの範囲内でネジ４３４ａ及びナット４３４ｂにより固定する位置を変更することができる。
【００３９】
このように、スライド片４３２をスライドさせて棚板支持部４３のＹ方向（図１参照）における長さ寸法Ｂを変更することができるため、係止溝部２４のＹ方向（図２参照）における幅、すなわち係止片２４２ａ，２４２ｂが棚板１２の短手方向Ｙに離間した長さが異なる棚板でも天板２の上面に取り付けることができる。
【００４０】
［２−３．吊下棚の構成］
次に、図５を参照して、上述した棚装置４の吊下棚１６の構成について説明する。図５は、図１に示す吊下棚１６の図であり、図５（ａ）は、図１に示す吊下棚１６の斜視図であり、図５（ｂ）は、図１に示す吊下棚１６を使用者の左側から見た側面図である。
【００４１】
吊下棚１６は、鉄、木材、樹脂等で形成されており、図５（ａ）及び図５（ｂ）に示すように、物品を載置する物品載置面６１と、物品載置面６１のＸ方向（図１参照）における両端部から立設した一対の側壁６２ａ，６２ｂと、一対の側壁６２ａ，６２ｂ間に設けられて棚板１２（図１参照）の下面に取り付けられた場合に使用者側と反対側に位置する後壁６３とを有している。吊下棚１６は、この一対の側壁６２ａ，６２ｂ及び後壁６３により、物品載置面６１の上方に物品載置空間ＳＰを形成している。
【００４２】
物品載置面６１は、棚板１２（図１参照）の下面に取り付けられると、棚板１２の短手方向Ｙ（図１参照）へ突出する端縁６１１と、端縁６１１に対向する縁部である基端６１２とを有している。端縁６１１は、物品載置面６１に載置する物品を下方から上方に載置し易いように当該物品載置面６１から下方へ僅かに傾斜しており、後壁６３は基端６１２から上方へ立設している。
【００４３】
一対の側壁６２ａ，６２ｂは、上部の端縁６１１側に設けられた側壁係止部６４ａ，６４ｂと、物品載置面６１の端縁６１１近傍から上方に向かって傾斜した傾斜部６５ａ，６５ｂと、側壁６２ａ，６２ｂの側壁係止部６４ａ，６４ｂとは背向した位置であって、基端６１２側に設けられた壁側切欠部６６ａ，６６ｂとを有している。
【００４４】
側壁係止部６４ａ，６４ｂは、端縁６１１側に突出して吊下棚１６が棚板１２の下面に取り付けられた場合に係止溝部２４の係止片２４２ａに係止される端縁側係止突起６４１ａ，６４１ｂと、端縁側係止突起６４１ａ，６４１ｂと傾斜部６５ａ，６５ｂとの間で係止片２４２ａの先端面と当接する側壁当接部６４２ａ，６４２ｂとを有している。
【００４５】
傾斜部６５ａ，６５ｂは、物品載置面６１の端縁６１１から上方に向かって傾斜している。したがって、吊下棚１６は、棚板１２の下面に取り付けられた状態において、物品載置面６１に載置する物品を棚板１２の長手方向Ｘ（図１参照）から載置し易くなるように形成されている。
【００４６】
壁側切欠部６６ａ，６６ｂは、側面視では後述する後壁６３の後壁係止部６７が壁側切欠部６６ａ，６６ｂの上部から露出するように側壁６２ａ，６２ｂの上部の基端６１２側を一部切欠いたような形状を有している。
【００４７】
後壁６３と一対の側壁６２ａ，６２ｂとの間には隙間Ｓが形成されている。すなわち、後壁６３は一対の側壁６２ａ，６２ｂとは連結されておらず、基端６１２に対して連結されている。このため、後壁係止部６７と一体の後壁６３は、基端６１２を支点として端縁６１１側に撓み変形することが可能である。
【００４８】
また、後壁６３には、一対の側壁６２ａ，６２ｂの間に延びた壁孔６３１が形成されているため、後壁６３の端縁６１１側への撓み変形を小さな力で実現することが可能である。
【００４９】
後壁係止部６７は、基端６１２側に突出したＬ字形状を有し、吊下棚１６が棚板１２の下面に取り付けられた場合に係止溝部２４の係止片２４２ｂと係止される基端側係止突起６７１と、係止溝部２４の係止片２４２ｂの先端が当接される当接面６７２とを有している。後壁係止部６７において、基端側係止突起６７１は、当接面６７２の上端から端縁６１１側と反対側（後方）に向かって延設されている。
【００５０】
この吊下棚１６は、物品載置面６１と棚板１２の下面とが対向した状態で棚板１２の下面に取り付けられた場合に、物品載置面６１と棚板１２の下面との間で物品載置空間ＳＰが形成される（図１及び図３参照）。
【００５１】
また、吊下棚１６は、棚板１２の短手方向Ｙに向かって突出する端縁６１１が、棚板１２の長手方向Ｘに沿う端縁（棚板傾斜部２２）よりも突出した状態で棚板１２の下面に取り付けられている（図１及び図３参照）。すなわち、吊下棚１６は、端縁６１１が棚板傾斜部２２よりも前方に突出した状態で棚板１２の下面に取り付けられている。
【００５２】
なお、上述した係止溝部２４と、側壁係止部６４ａ，６４ｂと、後壁係止部６７とによって、棚板１２の下面における吊下棚１６の取付位置を棚板１２の長手方向（図１のＸ方向）に沿って変更可能に係止する係止機構が構築される。
【００５３】
［３．係止状態］
次に、図５及び図６を参照して、上述した吊下棚１６を棚板１２に係止した係止状態について説明する。図６は、図１に示す吊下棚１６を棚板１２に係止した係止状態を説明するための側面図である。
【００５４】
上述したように、棚板１２の下面に設けられた係止溝部２４に、吊下棚１６の側壁係止部６４ａ，６４ｂ及び後壁係止部６７を係止させることにより、吊下棚１６が棚板１２の下面に係止される。
【００５５】
係止溝部２４は、溝底部２４１側において棚板１２の短手方向（図１のＹ方向）に延びる溝幅Ｄが、一対の係止片２４２ａ，２４２ｂにおいて互いに棚板１２の短手方向（図１のＹ方向）に対向する先端間の幅である溝幅Ｅより大きく、下方に開口した断面溝形状を有している。
【００５６】
また、端縁側係止突起６４１ａ及び端縁側係止突起６４１ｂと基端側係止突起６７１が互いに棚板１２の短手方向（Ｙ方向）で背向する先端間の幅、すなわち、端縁側係止突起６４１ａ及び端縁側係止突起６４１ｂの前方を向く先端と、基端側係止突起６７１の後方を向く先端との間の幅Ｆの大きさは、溝幅Ｄよりも狭く、溝幅Ｅよりも広く形成されている。このため、側壁係止部６４ａ，６４ｂ及び後壁係止部６７が、係止溝部２４の内部に挿入されて一対の係止片２４２ａ，２４２ｂに係止される。
【００５７】
また、係止溝部２４の係止片２４２ａの先端が側壁係止部６４ａ，６４ｂの側壁当接部６４２ａ，６４２ｂに当接し、係止片２４２ｂの先端が後壁係止部６７の当接面６７２に当接することにより、側壁係止部６４ａ，６４ｂ及び後壁係止部６７が係止溝部２４の開口縁に係止され、吊下棚１６が棚板１２の下面に吊下げられる。
【００５８】
［４．係止方法］
次に、図７を参照して、上述した吊下棚１６を棚板１２に係止する係止方法について説明する。図７は、図１に示す吊下棚１６を棚板１２に係止する係止方法を説明するための側面図である。
【００５９】
まず、図７に示すように、係止溝部２４の係止片２４２ｂにおける棚板１２の長手方向（Ｘ方向）の任意の位置の係止片２４２ｂを後壁係止部６７の当接面６７２に当接させる。そして、係止片２４２ｂを当接面６７２に当接させた状態で矢印Ｇ方向と反対方向に向かって力を加えることにより、後壁６３を矢印Ｇ方向へ撓み変形させる。具体的には、上述したように、後壁６３は基端６１２を支点として端縁６１１側に撓み変形することが可能であるため、当接面６７２を係止片２４２ｂの先端に押し当て、矢印Ｇ方向とは反対方向へ押し付けることにより後壁６３を矢印Ｇ方向に撓み変形させる。
【００６０】
後壁６３を撓み変形させると、端縁側係止突起６４１ａ及び端縁側係止突起６４１ｂの前方を向く先端と、基端側係止突起６７１の後方を向く先端との間の幅Ｆの大きさが溝幅Ｅの大きさよりも狭くなり（図６参照）、端縁側係止突起６４１ａ，６４１ｂが係止片２４２ａを下方から上方へ乗り越えて係止溝部２４の内部に挿入される。
【００６１】
そして、後壁６３の撓み変形を復帰させると、端縁側係止突起６４１ａ，６４１ｂ及び基端側係止突起６７１が一対の係止片２４２ａ，２４２ｂに係止することになり、吊下棚１６が棚板１２の下面に係止される。
【００６２】
また、棚板１２の下面に係止された吊下棚１６に、矢印Ｇ方向と反対方向に向かって力を加えることにより、吊下棚１６を係止溝部２４から取り外す。すなわち、棚板１２の下面に係止された吊下棚１６に対して矢印Ｇ方向と反対方向に向かって力を加えることにより、後壁６３を矢印Ｇ方向に撓み変形させ、幅Ｆの大きさを溝幅Ｅの大きさよりも狭くする。そして、端縁側係止突起６４１ａ，６４１ｂが係止片２４２ｂを上方から下方へ乗り越える様にして係止溝部２４から外すことにより、吊下棚１６は棚板１２の下面から取り外される。
【００６３】
さらに、棚板１２の下面に係止された吊下棚１６に、矢印Ｇ方向と反対方向に向かって力を加えることにより、後壁６３を矢印Ｇ方向に撓み変形させ、端縁側係止突起６４１ａ，６４１ｂと係止片２４２ｂとの係止を解除させる。そして、係止を解除させた状態で、吊下棚１６を棚板本体２１の長手方向Ｘ（図２参照）に沿って移動させ、任意の位置で後壁６３の撓み変形を復帰させることにより、吊下棚１６の棚板本体２１の長手方向Ｘ方向に対する取付位置を変更することができる。
【００６４】
［５．作用効果］
以上のような棚装置４は、天板２と、天板２を下面から支持する天板支持脚３とを有する天板付き什器１の上面に設けられた棚装置４であって、天板２の上面に天板２と上下方向に離間して設けられる平板状の棚板１２と、物品を載置する物品載置面６１と棚板１２の下面とが対向した状態で棚板１２の下面に取り付けられ、物品載置面６１と棚板１２の下面との間で物品載置空間ＳＰを形成する吊下棚１６と、棚板１２の下面における吊下棚１６の取付位置を変更可能に係止する係止機構（係止溝部２４、側壁係止部６４ａ，６４ｂ、後壁係止部６７）とを備える。
【００６５】
上述した棚装置４によれば、吊下棚１６が物品載置面６１と棚板１２の下面とが対向した状態で棚板１２の下面に取り付けられ、物品載置面６１と棚板１２の下面との間で物品載置空間ＳＰを形成するため、天板２の作業面積が狭くなることなく物品載置空間ＳＰを形成することができる。
【００６６】
また、物品載置空間ＳＰを増加させるためには、棚板１２の下面に取り付ける吊下棚１６の数を増加することにより容易に物品載置空間ＳＰを増加させることができる。
【００６７】
さらに、吊下棚１６は、棚板１２の下面における長手方向Ｘに取付位置を変更することができるため、従来の棚のように、側板に取り付けられた棚板を取り外して他の取り付け位置に棚板を取り付け直して物品載置空間の位置を変更する場合と比較して、容易に物品載置空間ＳＰの取付位置を変更することができる。このため、作業面の有効利用を図りつつ、使い勝手を向上することができる。
【００６８】
また、棚装置４の吊下棚１６は、棚板１２の短手方向Ｙ（前方）に向かって突出する端縁６１１が、棚板１２の長手方向Ｘに沿う端縁（棚板傾斜部２２）よりも突出した状態で棚板１２の下面に取り付けられている。このため、物品載置面６１に物品を載置し易い。さらに、物品載置面６１の端縁６１１は内方に向かうにしたがって下方から上方へ傾斜しているため、物品載置面６１に載置する物品を下方から載置し易い。
【００６９】
さらに、棚装置４の係止機構は、棚板１２の下面に設けられて棚板本体２１の長手方向に沿って延びる係止溝部２４と、吊下棚１６の物品載置面６１から立設して物品載置空間ＳＰを形成する壁部（側壁６２ａ，６２ｂ及び後壁６３）に設けられて係止溝部２４と係止する係止部（側壁係止部６４ａ，６４ｂ、後壁係止部６７）とを有し、係止部（側壁係止部６４ａ，６４ｂ、後壁係止部６７）は、係止溝部２４の内側に挿入されて吊下棚１６の取付位置を長手方向Ｘへ変更可能に係止する。このため、係止溝部２４に側壁係止部６４ａ，６４ｂ及び後壁係止部６７を係止させることにより、容易に吊下棚１６の取付位置を長手方向Ｘへ変更することができる。
【００７０】
また、棚装置４の係止溝部２４は、棚板１２の短手方向Ｙに離間して設けられた一対の断面コ字形状の係止片２４２ａ，２４２ｂを有し、係止部（側壁係止部６４ａ，６４ｂ、後壁係止部６７）は、棚板１２の短手方向Ｙの端縁６１１側に設けられて一方の係止片２４２ａと係止する端縁側係止突起６４１ａ，６４１ｂと、棚板１２の短手方向Ｙの基端６１２側に設けられて他方の係止片２４２ｂと係止する基端側係止突起６７１とを有する。基端側係止突起６７１が設けられた後壁６３は、基端６１２を支点として端縁６１１側に撓み変形することが可能であるため、後壁係止部６７の当接面６７２を係止片２４２ｂの先端に押し当て、矢印Ｇ方向（図７参照）とは反対方向へ押し付けることにより後壁６３を矢印Ｇ方向に撓み変形させて、容易に端縁側係止突起６４１ａ，６４１ｂを係止溝部２４の内部に挿入することができる。また、後壁６３を矢印Ｇ方向に撓み変形させて吊下棚１６を棚板本体２１の長手方向Ｘに沿って移動させ、任意の位置で後壁６３の撓み変形を復帰させることにより、容易に吊下棚１６の取付位置を変更することができる。
【００７１】
さらに、棚装置４は、棚板１２を天板２と離間して支持する棚支持脚１４を備え、棚支持脚１４の上部には、棚板１２を支持する棚板支持部４３が設けられており、棚支持脚１４は、係止溝部２４の内側に挿入されて棚板１２を支持する。このため、棚支持脚１４の位置を棚板本体２１の長手方向Ｘにおける任意の位置に変更することができる。
【００７２】
また、棚支持脚１４の棚板支持部４３が係止溝部２４の内側に挿入されて棚板１２を支持するため、係止溝部２４の他に棚板１２を支持するための溝を形成する必要がない。
【００７３】
さらに、棚支持脚１４は、係止溝部２４の内側に挿入されて棚板１２を支持するため、係止溝部２４の形状が同じで長さの異なる棚板を支持することが可能になる。このため、例えば長手方向に延びる天板を複数人で使用する場合、使用する人数に応じて支持する棚板を異ならせることができる。
【００７４】
なお、上述した棚装置４を備える天板付き什器１も上述した作用効果と同様の作用効果を奏することができる。
【００７５】
［６．他の実施の形態］
なお、上述した実施の形態においては、棚装置４は、天板付き什器１は、天板２と、天板２を下面から支持する一対の天板支持脚３とを備える机である場合について説明したが、これに限定されない。例えば、天板付き什器１は、机以外の棚、鏡台、収納庫等、天板を備える什器であれば適宜変更が可能である。
【００７６】
また、上述した実施の形態においては、係止機構は、棚板１２の下面における吊下棚１６の取付位置を棚板本体２１の長手方向Ｘに変更可能に係止する場合について説明したが、棚板本体２１の短手方向Ｙに変更可能に係止してもよい。すなわち、係止機構は、吊下棚１６が短手方向Ｙに取り付け位置を変更可能に係止する機構であってもよい。
【００７７】
さらに、上述した実施の形態においては、係止機構の形状は、棚板１２の下面における吊下棚１６の取付位置を変更可能に係止する形状であれば、他の形状であってもよい。
【００７８】
例えば、係止溝部２４は、溝底部２４１と、溝底部２４１の端部からそれぞれ下方に折り曲げられた係止片２４２ａ，２４２ｂとを有している場合について説明したが、溝底部２４１が設けられておらず、棚板本体２１の短手方向Ｙに離間して設けられた係止片２４２ａ，２４２ｂのみが設けられていてもよい。
【００７９】
また、吊下棚１６の物品載置面６１は、概略正方形の形状である場合を図示して説明したが、例えば長手方向Ｘに長い長方形の形状の物品載置面を有する吊下棚であってもよい。
【００８０】
さらに、後壁６３は、基端６１２に連結されている場合について説明したが、後壁６３と基端６１２とは他の部材を介して連結されていてもよい。すなわち、後壁６３は、基端６１２を支点として端縁６１１側に変形可能であれば、後壁６３と基端６１２との連結形状は適宜変更が可能である。
【００８１】
また、一対の側壁６２ａ，６２ｂは、傾斜部６５ａ，６５ｂを有している場合について説明したが、傾斜角度は適宜変更が可能であり、傾斜部を有しておらず一対の側壁６２ａ，６２ｂの上部から端縁６１１へ概略垂直に形成されていてもよい。
【００８２】
なお、上述した棚板１２及び吊下棚１６は、鉄、木材、樹脂等で形成されている場合について説明したが、棚板１２と吊下棚１６とは異なる材料で形成されていることが好ましい。特に、鉄又は木材で形成されている場合、異なる材料で形成することにより、側壁係止部６４ａ，６４ｂ及び後壁係止部６７を係止溝部２４に係止する場合、後壁６３を矢印Ｇ方向（図７参照）に撓み変形させて吊下棚１６を棚板本体２１の長手方向Ｘに移動させた場合等、鉄同士又は樹脂同士が擦れた際に発生する音を抑制することができる。
【００８３】
以上、本発明の好適な実施の形態について説明したが、本発明は上記の実施の形態に係る棚装置４及び天板付き什器１に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における各構成要素の形状、材料、配置、サイズ等は、本発明の具体的使用態様によって適宜変更され得る。
【符号の説明】
【００８４】
１  天板付き什器
２  天板
３  天板支持脚
４  棚装置
５  配線収容部
６  下部支持体
７  上部支持体
８  アジャスタ
１２  棚板
１４  棚支持脚
１６  吊下棚
２１  棚板本体
２２  棚板傾斜部
２３  棚板折曲部
２４  係止溝部
４１  支持脚本体
４２  クランプ装置
４３  棚板支持部
６１  物品載置面
６２ａ，６２ｂ  側壁
６３  後壁
６４ａ，６４ｂ  側壁係止部
６５ａ，６５ｂ  傾斜部
６６ａ，６６ｂ  壁側切欠部
６７  後壁係止部
２４１  溝底部
２４２ａ，２４２ｂ  係止片
４２１  クランプ部
４２１ａ  上片
４２１ｂ  下片
４２１ｃ  連結片
４２１ｄ  クランプネジ孔
４２２  締付ネジ部
４２２ａ  ネジ部
４３１  固定片
４３１ａ  固定底面
４３１ｂ  固定側面
４３１ｃ  固定側係止欠部
４３１ｄ  固定片ネジ孔
４３２  スライド片
４３２ａ  スライド底面
４３２ｂ  スライド側面
４３２ｃ  スライド側係止欠部
４３２ｄ  スライド長孔
４３４ａ  ネジ
４３４ｂ  ナット
６１１  端縁
６１２  基端
６３１  壁孔
６４１ａ，６４１ｂ  端縁側係止突起
６４２ａ，６４２ｂ  側壁当接部
６７１  基端側係止突起
６７２  当接面
【図１】
2019076311.tif 000003
【図２】
2019076311.tif 000004
【図３】
2019076311.tif 000005
【図４】
2019076311.tif 000006
【図５】
2019076311.tif 000007
【図６】
2019076311.tif 000008
【図７】
2019076311.tif 000009